(57)【要約】【課題】  上下の導電端子への電線の接続順序に制約を受けない２段端子台を提供する。【解決手段】  ２段端子台にあっては、下方の下方導電端子４６であって下段ネジ３１に対向する部分が水平面に対して外方側に低くなる傾斜面に配置されており、これに伴い、下段の端子は全体的に傾斜した状態に配置されている。下方導電端子４６の外方に向かっての傾斜角度及びその傾斜位置（上方導電端子３８に対する平面視及び側面視の相対位置）は、上段の電線５１ａ及び電線５１ｂを水平方向に曲げることによってドライバー５９の操作スペースが確保されるように設定されている。すなわち、上方の電線５１ａ及び電線５１ｂを取り外すことなくその状態で、下方の電線５６ａ及び電線５６ｂを下方導電端子４６に接続することが可能となる。これによって、上段の電線及び下段の電線の取付け取り外しを各々独立して行うことができ、使い勝手が極めて向上する。【選択図】      図５
2013232359.tif 000002
【特許請求の範囲】
【請求項１】
同一列の端子の各々が平面視において外方側に向かって同一線上に配置された２段端子台であって、
水平面に配置された上段導電端子と、
前記上段導電端子に対して前記外方側に配置され、設置位置における水平面に対して前記外方側に低くなる傾斜面に配置された下段導電端子とを備え、
前記下段導電端子に電線を接続する際に用いられるネジを固定するドライバーが、前記上段導電端子に取付けられた電線を水平方向に曲げた際に生じる空間を通過するように、前記下段導電端子の位置及び前記傾斜面が設定される、２段端子台。
【請求項２】
前記電線は圧着端子を介して前記上段端子に取付けられる、請求項１記載の２段端子台。
【請求項３】
前記電線の導線の断面積は、５．５〜１４ｍｍ２である、請求項２記載の２段端子台。
【請求項４】
前記上段導電端子と前記下段導電端子とを一対として、これらの複数対が隣接状態で配置される、請求項１から請求項３のいずれかに記載の２段端子台。
【請求項５】
同一列の端子の各々が平面視において外方側に向かって同一線上に配置された２段端子台であって、
水平面に配置された上段導電端子と、
設置位置における垂直面に配置された下段導電端子とを備えた、２段端子台。
【発明の詳細な説明】
【技術分野】
【０００１】
この発明は２段端子台に関し、特に変電所等の配電盤や制御盤等に用いられる配線の中継処理や分岐処理に用いられる２段端子台に関するものである。
【背景技術】
【０００２】
図９は先行文献１等に示されているような従来の２段端子台の概略構成を示す平面図であり、図１０はその側面図であり、図１１は図９におけるＸＩ−ＸＩラインの断面図である。
【０００３】
これらの図を参照して、２段端子台６７は絶縁性を有する合成樹脂よりなる第１の保護板１９と第２の保護板２０とによって外側面が覆われている。これらの間は仕切板２２ａ及び仕切板２２ｂによって仕切られ、３列の端子群が配置されている。そして、２段端子台６７は仮想線で示す中心線から左右対称に構成され、上下の各端子は中心線から外方側に向かって同一線上に配置されている。
【０００４】
そこで、以下の説明では図９において一番下側の列であって右方向に配置された二つの端子について説明する。
【０００５】
上段の端子にあっては、水平面上に設置された上方導電端子３８と、上方導電端子３８の上方に配置された座金付の上段ネジ２６とを中心として構成されている。上段ネジ２６の下面には断面逆Ｌ字状の上段座金２４が取付けられており、上段座金２４の下方に延びる部材は下方の上方導電端子３８を摺動自在に貫通する。上段座金２４の下方は圧縮バネ３９に接続され、上段ネジ２６を捩じ込まない状態にあっては圧縮バネ３９によって上方に位置している。これによって上段ネジ２６の下面と上方導電端子３８の上面との間にスペースが形成される。このスペースに電線の圧着端子を挟み込み、上段ネジ２６を上方導電端子３８に対して捩じ込むことによって電線と上方導電端子３８とを導通させる。
【０００６】
一方、下段の端子は、上段の端子の下方であって平面視において外方側に配置されている。下段の端子にあっては、上段の端子と基本的に同様の構成である。すなわち、水平面上に設置された下方導電端子４６と、下方導電端子４６の上方に配置された座金付の上段ネジ２６とを中心として構成されている。下段ネジ３１の下面には断面逆Ｌ字状の下段座金２９が取付けられており、下段座金２９の下方に延びる部材は下方の下方導電端子４６を摺動自在に貫通する。下段座金２９の下方は圧縮バネ４７に接続され、下段ネジ３１を捩じ込まない状態にあっては圧縮バネ４７によって上方に位置する。これによって下段ネジ３１の下面と下方導電端子４６の上面との間にスペースが形成される。このスペースに電線の圧着端子を挟み込み、下段ネジ３１を下方導電端子４６に対して捩じ込むことによって電線と下方導電端子４６とを導通させる。
このようにして２段端子台は、コンパクトな構成の中で多くの電線を集中的に配線接続することが可能となるので使い勝手が良い。
【先行技術文献】
【特許文献】
【０００７】
【特許文献１】特開２００６−３１８８７５号公報
【発明の概要】
【発明が解決しようとする課題】
【０００８】
上記のような従来の２段端子台では通常時の使用としては問題がないが、電線の取り換えや接続順序が限定されているような場合には使い勝手が良いとは言えない。
【０００９】
図１２はこのような問題点を説明するための使用状態を示す平面図であり、図１３は図１２のＸＩＩＩ−ＸＩＩＩラインの断面図である。
【００１０】
これらの図を参照して、上方導電端子３８に電線５１ａ及び電線５１ｂが接続されている。すなわち、電線５１ａの圧着端子５０ａと電線５１ｂの圧着端子５０ｂとが上下に重ね合わされた状態で上方導電端子３８に圧接されるように上段ネジ２６によって締め付けられている。尚、電線５１ａと圧着端子５０ａとの接続部分は絶縁性の保護チューブ５２ａで覆われ、同様に電線５１ｂと圧着端子５０ｂとの接続部分も絶縁性の保護チューブ５２ｂで覆われている。この状態から図の仮想線で示されているように電線５６ａ及び電線５６ｂを下方導電端子４６に接続する状態を想定する。
【００１１】
ところが、この場合、図１２に示されているように下段ネジ３１の上方が電線５１ａ及び電線５１ｂに隠れてしまう状態になる。そうすると、図１３に示す下段ネジ３１の捩じ込み用のドライバー５９が下段ネジ３１の軸線６０を通らないことになる。すなわち、下方の電線５６ａ及び電線５６ｂを電線５１ａ及び電線５１ｂの取付けの後に取付けるには、一旦上方の電線５１ａ及び電線５１ｂを取り外す必要が生じる。
【００１２】
その結果、電線５６ａ及び電線５６ｂの取付けに手間がかかり、又、電線５１ａ及び電線５１ｂを取り外すため誤接続の虞も生じる。
【００１３】
この発明は上記のような課題を解決するためになされたもので、上下の導電端子への電線の接続順序に制約を受けない２段端子台を提供することを目的とする。
【課題を解決するための手段】
【００１４】
上記の目的を達成するために、請求項１記載の発明は、同一列の端子の各々が平面視において外方側に向かって同一線上に配置された２段端子台であって、水平面に配置された上段導電端子と、上段導電端子に対して外方側に配置され、設置位置における水平面に対して外方側に低くなる傾斜面に配置された下段導電端子とを備え、下段導電端子に電線を接続する際に用いられるネジを固定するドライバーが、上段導電端子に取付けられた電線を水平方向に曲げた際に生じる空間を通過するように、下段導電端子の位置及び傾斜面が設定されるものである。
【００１５】
このように構成すると、上段導電端子に取付けられた電線を外すことなく下段導電端子に電線を接続したり、外したりすることができる。
【００１６】
請求項２記載の発明は、請求項１記載の発明の構成において、電線は圧着端子を介して前記上段端子に取付けられるものである。
【００１７】
このように構成すると、電線の取付け部分の曲げ剛性が高まる。
【００１８】
請求項３記載の発明は、請求項２記載の発明の構成において、電線の導線の断面積は、５．５〜１４ｍｍ２としたものである。
【００１９】
このように構成すると、電線の曲げ剛性が大きくなる。
【００２０】
請求項４記載の発明は、請求項１から請求項３のいずれかに記載の発明の構成において、上段導電端子と下段導電端子とを一対として、これらの複数対が隣接状態で配置されるものである。
【００２１】
このように構成すると、すべての下段導電端子に取付けるネジの軸線が外方側に傾斜する。
【００２２】
請求項５記載の発明は、同一列の端子の各々が平面視において外方側に向かって同一線上に配置された２段端子台であって、水平面に配置された上段導電端子と、設置位置における垂直面に配置された下段導電端子とを備えたものである。
【００２３】
このように構成すると、下段導電端子に取付けるネジの軸線が水平方向になる。
【発明の効果】
【００２４】
以上説明したように、請求項１記載の発明は、上段導電端子に取付けられた電線を外すことなく下段導電端子に電線を接続したり、外したりすることができるので、電線の接続時の作業性が向上する。
【００２５】
請求項２記載の発明は、請求項１記載の発明の効果に加えて、電線は圧着端子を介して前記上段導電端子に取付けられるので、圧着端子を回避した位置を通してドライバーが操作される。
【００２６】
請求項３記載の発明は、請求項２記載の発明の効果に加えて、電線の曲げ剛性が大きくなるので、より効果的な端子台となる。
【００２７】
請求項４記載の発明は、請求項１から請求項３のいずれかの発明の効果に加えて、すべての下段導電端子に取付けるネジの軸線が外方側に傾斜するので、上段導電端子の電線の接続状態にかかわらず、すべての下段導電端子の電線の取付けが容易となる。
【００２８】
請求項５記載の発明は、下段導電端子に取付けるネジの軸線が水平方向になるので、
下段導電端子の電線の取付けに、上段導電端子への電線の接続状態が影響しない。
【図面の簡単な説明】
【００２９】
【図１】この発明の第１の実施の形態による２段端子台の概略構成を示す平面図である。
【図２】図１で示した２段端子台の側面図である。
【図３】図１におけるＩＩＩ−ＩＩＩラインの断面図である。
【図４】この発明の第１の実施の形態による２段端子台の使用状態を示した図であって、図１に対応する図である。
【図５】図４におけるＶ−Ｖラインの断面図である。
【図６】図４の状態から下段の端子に電線をドライバーで締め付けた状態を示した図である。
【図７】図６のＶＩＩ−ＶＩＩラインの断面図である。
【図８】この発明の第２の実施の形態による２段端子台の概略構成を示す断面図であって、先の実施の形態による図５に対応する図である。
【図９】先行文献１等に示されているような従来の２段端子台の概略構成を示す平面図である。
【図１０】図９で示した２段端子台の側面図である。
【図１１】図９におけるＸＩ−ＸＩラインの断面図である。
【図１２】従来の２段端子台の問題点を説明するための使用状態を示す平面図である。
【図１３】図１２のＸＩＩＩ−ＸＩＩＩラインの断面図である。
【発明を実施するための形態】
【００３０】
図１はこの発明の第１の実施の形態による２段端子台の概略構成を示す平面図であり、図２はその側面図であり、図３は図１におけるＩＩＩ−ＩＩＩラインの断面図である。
【００３１】
これらの図を参照して、２段端子台１７は従来の２段端子台と同様に絶縁性を有する合成樹脂よりなる第１の保護板１９と第２の保護板２０とによって外側面が覆われている。これらの間は仕切板２２ａ及び仕切板２２ｂによって仕切られ、３列の端子群が配置されている。そして、２段端子台１７は１点鎖線で示す中心線から左右対称に構成され、図１に示すように上下の各端子は平面視において中心線から外方側に向かって同一線上に配置されている。
【００３２】
そこで、以下の説明では図１において一番下側の列であって右方向に配置された二つの端子について説明する。他の端子も基本的に同様の構成である。
【００３３】
上段の端子にあっては、水平面上に配置された上方導電端子３８と、上方導電端子３８の上方に配置された座金付の上段ネジ（十字穴加工）２６とを中心として構成されている。上方導電端子３８には上段ネジ２６が螺合するネジ穴（図示せず）が形成されている。上段ネジ２６の下面には平板状の平板部材３４と平板部材３４から下方に延びる棒状の支持部材３５とから構成される断面逆Ｌ字状の上段座金２４が取付けられている。尚、上段ネジ２６は図示しない構成により不用意に上段座金２４から脱落しないように取付けられている。
【００３４】
一方、支持部材３５は上段ネジ２６の下方に配置された上方導電端子３８を摺動自在に貫通する。支持部材３５の下方は圧縮バネ３９に接続され、上段ネジ２６は上方導電端子３８に対して捩じ込まない状態にあっては圧縮バネ３９の反発力によって上方に位置するように付勢されている。尚、圧縮バネ３９は圧縮バネ３９で覆われた上方格納スペース３７に設置されている。
【００３５】
このように上段ネジ２６は上段座金２４とともに上下に移動可能であるが、この移動をスムーズにするために両サイドの第１の保護板１９及び仕切板２２ａに上下に延びるガイド部材２５ａ及びガイド部材２５ｂが各々取付けられている。これによって、平板部材３４及び上段ネジ２６が水平状態を保ったまま、上下に移動できることになる。
【００３６】
このように上段ネジ２６を捩じ込まない状態では上段ネジ２６は上方に位置することになるので、上段ネジ２６の下面と上方導電端子３８の上面との間にスペースが形成される。このスペースに電線の圧着端子（上段ネジ２６のネジが貫通する開口を有する）を挟み込み、上段ネジ２６を上方導電端子３８に螺合させて捩じ込むことによって電線と上方導電端子３８とを接続させる。以上のように上段の端子構造は基本的には従来の２段端子台と変わらない。
【００３７】
一方、下段の端子は、上段の端子の下方であって平面視において外方側に配置されている点は従来の２段端子台と同様であるが、側面視において大きく異なる。すなわち、従来の２段端子台にあっては、上段の上方導電端子３８と下段の下方導電端子４６とがいずれも水平面に配置されている。一方、この実施の形態による２段端子台１７にあっては、下方の下方導電端子４６であって下段ネジ（十字穴加工）３１に対向する部分が水平面に対して外方側に低くなる傾斜面（傾斜角度θ：３０°）に配置されており、これに伴い、下段の端子は全体的に傾斜した状態に配置されている。このようにした効果については後述する。
【００３８】
そこで、下段の端子の構造であるが、端子自体を構成する部品自体は２段端子台１７の上段の端子と基本的に同様の構成である。すなわち、傾斜状態に設置された下方導電端子４６と、下方導電端子４６の斜め上方に配置された座金付の下段ネジ３１とを中心として構成されている。下方導電端子４６には下段ネジ３１が螺合するネジ穴（図示せず）が形成されている。下段ネジ３１の下面には平板状の平板部材４２と平板部材４２から下方に延びる棒状の支持部材４３とから構成される断面逆Ｌ字状の下段座金２９が取付けられている。又、下段ネジ３１は図示しない構成により不用意に下段座金２９から脱落しないように取付けられている。
【００３９】
一方、支持部材４３は下段ネジ３１の斜め下方に配置された下方導電端子４６を摺動自在に貫通する。支持部材４３の下方は圧縮バネ４７に接続され、下段ネジ３１を下方導電端子４６に対して捩じ込まない状態にあっては圧縮バネ４７の反発力によって斜め上方に位置するように付勢されている。尚、圧縮バネ４７は下方導電端子４６で覆われた下方格納スペース４５に設置されている。
【００４０】
このように下段ネジ３１は下段座金２９とともに上下に移動可能であるが、この移動をスムーズにするために両サイドの第１の保護板１９及び仕切板２２ａに上下に延びるガイド部材３０ａ及びガイド部材３０ｂが各々取付けられている。これによって、平板部材４２及び下段ネジ３１が傾斜状態を保ったまま、下方導電端子４６の設置面に直交する方向に移動できることになる。
【００４１】
このように下段ネジ３１を下方導電端子４６に捩じ込まない状態では下段ネジ３１は斜め上方に位置することになるので、下段ネジ３１の下面と下方導電端子４６の上面との間にスペースが形成される。このスペースに電線の圧着端子（下段ネジ３１のネジが貫通する開口を有する）を挟み込み、下段ネジ３１を下方導電端子４６に螺合させて捩じ込むことによって電線と下方導電端子４６とを接続させる。
【００４２】
次に図１等で示した２段端子台の使用状態について説明する。
【００４３】
図４はこの発明の第１の実施の形態による２段端子台の使用状態を示した図であって、図１に対応する図であり、図５は図４のＶ−Ｖラインの断面図である。
【００４４】
これらの図を参照して、上段の端子である上方導電端子３８に電線５１ａ及び電線５１ｂ（導線の断面積が８ｍｍ２）が接続されている。すなわち、電線５１ａの圧着端子５０ａと電線５１ｂの圧着端子５０ｂとが上下に重ね合わされた状態で上方導電端子３８に圧接されるように上段ネジ２６によって締め付けられている。この状態では圧縮バネ３９が圧縮され、上段ネジ２６が上方導電端子３８に螺合する。尚、電線５１ａと圧着端子５０ａとの接続部分は絶縁性の保護チューブ５２ａで覆われ、同様に電線５１ｂと圧着端子５０ｂとの接続部分も絶縁性の保護チューブ５２ｂで覆われている。
【００４５】
この状態から続いて図のように下段の端子である下方導電端子４６に電線５６ａ及び電線５６ｂを接続しようとする状態を想定する。電線５６ａ及び電線５６ｂを接続する際には、まず、絶縁性の保護チューブ５７ａ及び保護チューブ５７ｂでその根元が覆われた圧着端子５５ａ及び圧着端子５５ｂを、下段ネジ３１と下方導電端子４６との間に形成されたスペースに挿入して下方導電端子４６の上に載置する。
【００４６】
次に、下段ネジ３１を下方導電端子４６に捩じ込むべくドライバー５９を斜め上方から下降させるが、この時上段の端子に接続されている電線５１ａ及び電線５１ｂに力を加えて図４のように水平方向に曲げた状態に変化させる。上述の導線の断面積を有する電線５１ａ及び電線５１ｂは曲げ剛性が高いが、金属材料よりなる圧着端子５０ａ及び圧着端子５０ｂを除いた部分は曲げることが可能である。すると、下段の下段ネジ３１の軸線６０が外方に傾斜した状態になっているので、電線５１ａ及び電線５１ｂを曲げることによって下段ネジ３１の斜め上方に一定の空間５３が生じ下段ネジ３１の軸線６０が通ることになる。そこで、この実施の形態にあっては、この空間５３に下段ネジ３１を捩じ込むためのドライバー５９が操作できるように下段の端子が設定されている。
【００４７】
図６は下段の端子に電線をドライバーで締め付けた状態を示した図であって、図４に対応した図であり、図７は図６のＶＩＩ−ＶＩＩラインの断面図である。
【００４８】
これらの図を参照して、上述のように下方導電端子４６の外方に向かっての傾斜角度及びその傾斜位置（上方導電端子３８に対する平面視及び側面視の相対位置）は、上段の電線５１ａ及び電線５１ｂを水平方向に曲げることによってドライバー５９の操作スペースが確保されるように設定されている。すなわち、上方の電線５１ａ及び電線５１ｂを取り外すことなくその状態で、下方の電線５６ａ及び電線５６ｂを下方導電端子４６に接続したり、外したりすることが可能となる。これによって、上段の電線及び下段の電線の取付け、取り外しを各々独立して行うことができ、使い勝手が極めて向上する。
【００４９】
これに対して従来の２段端子台であれば、図１２及び図１３等に示されているように仮に上段の電線５１ａ及び電線５１ｂを水平に曲げたとしても、下段ネジ３１の軸線の延長線は上段の電線５１ａ及び電線５１ｂの圧着端子５０ａ及び圧着端子５０ｂの位置を通るためドライバー５９の操作スペースを確保することができず、結局そのままではドライバー５９を使用することができない。
【００５０】
尚、図５を参照して、下段導電端子４６を外方側に傾斜させる代わりに水平状態を確保しながら中心から更に外方に移動させた状態を想定する。このようにしても、上方の電線５５ａ及び電線５５ｂを水平に曲げて生じる空間からドライバー５９を操作して下段ネジ３１を下段導電端子４６に捩じ込むことは可能である。しかし、このようにすると、下段の端子の位置が中心線から更に離れるので２段端子台が大きくなってしまう。これに対してこの実施の形態による場合、下段導電端子４６が傾斜しているため下段導電端子４６の位置が中心線からそれほど離れず、その結果２段端子台が全体的にコンパクトになるという効果も奏する。
【００５１】
又、この実施の形態では下段導電端子４６が傾斜していることから、これに接続する電線も外方に向かって斜め下方に延びることになる。そうすると、この電線を水平方向に曲げて配線した場合、中心線からの配線距離が従来のような下段導電端子４６が水平のものに比べて短くなるため、配線状態も含めた占有スペースを減少させる。
【００５２】
図８はこの発明の第２の実施の形態による２段端子台の概略構成を示す断面図であって、先の実施の形態による図５に対応する図である。
【００５３】
この実施の形態による２段端子台は基本的な構成は先の実施の形態と同様であるが、下段の端子の構成が異なっているので、相違点を中心に説明する。
【００５４】
図を参照して、下方導電端子４６の下段ネジ３１との係合面が傾斜面ではなく垂直面となっている点が大きく異なっている。これによって下段ネジ３１の軸線６０は水平方向となり、ドライバー５９の操作方向も水平方向となる。そのため、電線５６ａ及び電線５６ｂを下方導電端子４６に接続する際に、上方導電端子３８に接続している電線５１ａ及び電線５１ｂがドライバー５９の操作の障害と全くならない。したがって、先の実施の形態と同様に、上段の電線及び下段の電線の取付け、取り外しを各々独立して行うことができ、使い勝手が極めて向上する。
【００５５】
尚、上記の第１の実施の形態にあっては、下段ネジの軸線をドライバーの軸が合致した状態を想定し、ドライバーの操作が可能なスペースを確保できるようにしている。ここで、ドライバーは規定のトルクでネジを捩じ込む必要がある。しかし、ネジの軸線に対してドライバーの軸が５°以上傾斜するとネジの十字穴に対して回転を与える接触面積が減少し、十字穴を損傷する虞がある。そのため、ドライバーの操作の可能な空間とは、ネジの軸線から５°未満の傾斜範囲にドライバーの軸が通り得る範囲をいうものとする。
【００５６】
又、上記の各実施の形態にあっては、左右対称の形状を有していたが、片側の構造によるものであっても良く、又、内部に電気機器を備えたものであっても良い。
【００５７】
更に、上記の各実施の形態にあっては、２段で３列の端子台であったが、３段以上や３列以外の端子台にも同様に適用できる。
【００５８】
更に、上記の各実施の形態にあっては、導電端子の大部分は上下共に水平方向に長く形成されているが、導電端子は少なく共上段ネジ及び下段ネジの各々に対向する部分をいうものとする。
【００５９】
更に、上記の各実施の形態にあっては、圧着端子や保護チューブを備えているが、これらは必ずしもなくても良い。
【００６０】
更に、上記の各実施の形態にあっては、電線の導線の断面積が８ｍｍ２のものを使用しているが、電線の剛性の観点からは５．５〜１４ｍｍ２の断面積のものであれば同様に効果的な２段端子台となる。
【００６１】
更に、上記の各実施の形態にあっては、一つの端子に圧着端子を２つ接続しているが、配線状況に応じて一つの圧着端子を接続するものでもよく、同様の効果を奏する。
【００６２】
更に、上記の第１の実施の形態にあっては、下方導電端子の傾斜面の角度は３０°としているが他の傾斜角度でもよい。配線の効率的な観点からは、１５〜６０°の範囲であればより好ましい。
【符号の説明】
【００６３】
１７…２段端子台
３１…下段ネジ
３８…上方導電端子
４６…下方導電端子
５０ａ、圧着端子５０ｂ…圧着端子
５３…空間
５９…ドライバー
６０…軸線
尚、各図中同一符号は同一又は相当部分を示す。
【図１】
2013232359.tif 000003
【図２】
2013232359.tif 000004
【図３】
2013232359.tif 000005
【図４】
2013232359.tif 000006
【図５】
2013232359.tif 000007
【図６】
2013232359.tif 000008
【図７】
2013232359.tif 000009
【図８】
2013232359.tif 000010
【図９】
2013232359.tif 000011
【図１０】
2013232359.tif 000012
【図１１】
2013232359.tif 000013
【図１２】
2013232359.tif 000014
【図１３】
2013232359.tif 000015